(57)【特許請求の範囲】
【請求項１】
筐体の内部に表示装置とカメラ装置と携帯情報端末装置とを備えた携帯型電子計算機において、
前記筐体は、
前面に配置された前記表示装置の表示画面と、
前記前面と対向する面に配置された前記カメラ装置のカメラレンズと、
前記表示画面の周囲を囲むように配置されて前記前面と一体形成されたフレームと、
前記カメラ装置による動作モードと前記携帯情報端末装置による動作モードとを切り替えるモード切替スイッチと、
前記表示画面に表示させた画像をスクロールするためのスクロールレバーと
を備え、
前記表示画面は、
画像情報を表示する矩形状の表示領域と、
前記表示領域の一辺側に隣接して配置されて、複数のタッチキーが表示され、前記カメラ装置による動作モードでは、前記複数のタッチキーで前記カメラ装置を操作し、前記携帯情報端末装置による動作モードでは、前記複数のタッチキーで前記携帯情報端末装置を操作するための操作領域と
を備え、
前記フレームは、
前記表示領域を露出させる矩形状開口部と、
前記操作領域と重なるように形成された平面部と、
この平面部に形成された複数の開口部と
を備え、
前記平面部は、前記複数のタッチキー毎に前記開口部が割り当てられて、前記複数の開口部夫々から該当する前記タッチキーが露出するように配置されることで操作部を構成し、
前記操作部は、前記モード切替スイッチの操作によって切り替えられた前記動作モードに対応した機能が設定され、
前記スクロールレバーは、前記画像を上下方向にスクロールさせるＹ方向スクロールレバーと、前記画像を左右方向にスクロールさせるＸ方向スクロールレバーとから構成される
ことを特徴とする携帯型電子計算機。
【請求項２】
請求項１において、
前記モード切替スイッチは、摺動可能なレバーで構成され、前記レバーを一方向に摺動させると、前記カメラ装置による動作モードが設定されるとともに前記操作部に前記カメラ装置の操作機能が設定され、他方向に摺動させると、前記携帯情報端末装置による動作モードが設定されるとともに前記操作部に前記携帯情報端末装置の操作機能が設定されることを特徴とする携帯型電子計算機。
【請求項３】
請求項２において、
前記筐体は、前記レバーを一方向に摺動させると露出する前記カメラ装置の記録ボタンを備えていることを特徴とする携帯型電子計算機。
【請求項４】
請求項３において、
前記カメラレンズが配置された面は、前記カメラレンズを覆うレンズシャッタを備え、
前記レンズシャッタは、前記レバーの摺動により開閉されることを特徴とする携帯型電子計算機。
【請求項５】
請求項１において、
前記Ｙ方向スクロールレバーは、前記筐体の左側面に配置され、
前記Ｘ方向スクロールレバーは、前記筐体の底面に配置されることを特徴とする携帯型電子計算機。
【発明の詳細な説明】
【０００１】
本発明は、ビデオカメラと表示部とを備え、また、外部との画像通信機能を備えて該ビデオカメラの撮像画像や外部からの画像を該表示部で表示可能とした携帯型電子計算機に関する。
【０００２】
【従来の技術】
従来、カメラ機能と外部との通信機能とを備えた携帯型の電子計算機が知られており、ビデオカメラで被写体を撮像したり、これによって得られた画像を通信手段によってサーバに伝送し、そこに記録保持できるようにしている。また、かかる電子計算機では、液晶表示パネルによる表示画面も備えており、ビデオカメラによる撮像画像やサーバから読み出した画像をこの表示画面で表示できるようにしている。
【０００３】
【発明が解決しようとする課題】
ところで、このような携帯型の電子計算機は、益々小型化する傾向にあり、これとともに、表示画面の大きさや操作部の配置などに問題が生ずる。
【０００４】
即ち、電子計算機の筐体を小さくするとしても、表示画面をこれとともに小さくしたのでは、そこに表示される画像が見にくくなる。このため、表示画面の小型化にも限界があり、あまり小さくすることはできない。そこで、筐体の小型化とともに、表示画面が占める面積の割合が大きくなる。
【０００５】
一方、このような電子計算機においても、当然ビデオカメラや画像表示のための操作部が必要であって、通常、表示画面の近傍に設けられるものであるが、表示画面が占める面積の割合が大きくなると、この分操作部が占める面積を小さくせざるを得ず、操作キーも小さくなって操作しにくくなる。これを防止するために、表示画面に各種機能のタッチキーを表示させることが考えられるが、筐体の小型化とともに狭くなった表示画面に表示される画像も小さいものであるから、これにタッチキーが重なって表示されることになり、表示画像が見にくいものとなる。
【０００６】
特に、表示画面に表示される画像を上下，左右方向にスクロールさせる機能はかかる電子計算機に必ず必要なものであって、かかる機能を実現するための手段（スクロール手段）は不可欠なものである。しかしながら、かかるスクロール手段は、少なくとも４方向（上下，左右方向）にスクロールさせるための機能を備えていなければならないため、比較的大きなスペースを必要とする手段である。従って、かかる電子計算機を小型化すると、このスクロール手段の配置が大きな問題となる。
【０００７】
本発明の目的は、誤操作の少ないタッチキーを備えた携帯型電子計算機を提供することにある。
【０００８】
【課題を解決するための手段】
上記目的を達成するために、本発明は、筐体の内部に表示装置とカメラ装置と携帯情報端末装置とを備えた携帯型電子計算機であって、前記筐体は、前面に配置された前記表示装置の表示画面と、前記前面と対向する面に配置された前記カメラ装置のカメラレンズと、前記表示画面の周囲を囲むように配置されて前記前面と一体形成されたフレームと、前記カメラ装置による動作モードと前記携帯情報端末装置による動作モードとを切り替えるモード切替スイッチと、前記表示画面に表示させた画像をスクロールするためのスクロールレバーとを備え、前記表示画面は、画像情報を表示する矩形状の表示領域と、前記表示領域の一辺側に隣接して配置されて、複数のタッチキーが表示され、前記カメラ装置による動作モードでは、前記複数のタッチキーで前記カメラ装置を操作し、前記携帯情報端末装置による動作モードでは、前記複数のタッチキーで前記携帯情報端末装置を操作するための操作領域とを備え、前記フレームは、前記表示領域を露出させる矩形状開口部と、前記操作領域と重なるように形成された平面部と、この平面部に形成された複数の開口部とを備え、前記平面部は、前記複数のタッチキー毎に前記開口部が割り当てられて、前記複数の開口部夫々から該当する前記タッチキーが露出するように配置されることで操作部を構成し、前記操作部は、前記モード切替スイッチの操作によって切り替えられた前記動作モードに対応した機能が設定され、前記スクロールレバーは、前記画像を上下方向にスクロールさせるＹ方向スクロールレバーと、前記画像を左右方向にスクロールさせるＸ方向スクロールレバーとから構成されるものである。
【０００９】
【発明の実施の形態】
以下、本発明の実施形態を図面により説明する。
図１は本発明による無線通信機能付電子計算機の一実施形態を示す図であって、同図（ａ）は正面図、同図（ｂ）は背面図、同図（ｃ）は上面図、同図（ｄ）は左側面図、同図（ｅ）は右側面図、同図（ｆ）は底面図であり、１はトップケース、２は液晶表示パネル、３はフレーム、３Ａは操作部、３Ｂは開口部、３ａ〜３ｅは開口、４は表示画面、５〜９はタッチキー、１０はボトムケース、１０ａは開口、１１はカメラレンズ、１２はモード切替レバー、１３は記録ボタン、１４ＸはＸ方向スクロールレバー、１４ＹはＹ方向スクロールレバー、１５はペン収納部、１６はミドルケースである。
【００１０】
同図において、フレーム３と一体となった枠状のトップケース１とほぼ平面状のボトムケース１０と所定の幅をもった枠状のミドルケース１６とが組み合わされて筐体が形成され、この筐体のトップケース１側の面が筐体の前面を、ボトムケース１０側の面が筐体の背面を、ミドルケース１６の面が筐体の側面を夫々形成している。
【００１１】
この筐体の前面では、図１（ａ）に示すように、トップケース１内に、フレーム３の内面に押し付けられるようにして、液晶表示パネル２が取り付けられている。フレーム３には、ほぼその外周近傍にまで至る矩形状の開口部３Ｂが設けられているが、その図面上右縁部には、この開口部３Ｂと右辺との間に操作部３Ａとしての幅の狭い平面部が形成されており、この操作部３Ａに矢印Ｙで示す縦方向に複数個（ここでは、５個）の開口部３ａ，３ｂ，３ｃ，３ｄ，３ｅが設けられている。液晶表示パネル２は、一点鎖線で示すように、フレーム３の開口部３Ｂや操作部３Ａにわたって広がったものであり、この液晶表示パネル２の開口３Ｂの部分が画像などの表示画面４をなしている。
【００１２】
かかる筐体には、ビデオカメラ（図示せず）が内蔵されており、図１（ｂ）に示すように、そのカメラレンズ１１がボトムケース１０に設けられた開口１０ａから外部に向けられている。但し、ビデオカメラが使用されないときには、この開口１０ａは図示しないレンズシャッタによって塞がれている。
【００１３】
また、図１（ｃ）に示すように、筐体の上面では、ミドルケース１６の外面側にモード切替レバー１２と記録ボタン１３とが設けられている。このモード切替レバー１２は、手動により、矢印Ａ，Ｂ方向に摺動可能であって、このモード切替レバー１２を矢印Ｂ方向に移動させた場合には、この実施形態はディジタルカメラとして機能して、図示するように、記録ボタン１３が外部に露出し、また、このモード切替レバー１２を矢印Ａ方向に移動させた場合には、この実施形態がＰＤＡ（パーソナルディジタルアシスタント：）としてコンピュータ機能を持ち、記録ボタン１３がモード切替レバー１２によって隠される。
【００１４】
ここで、モード切替レバー１２を矢印Ｂ方向に移動させてこの実施形態をディジタルカメラとして機能させる場合には、ボトムケース１０（図１（ｂ））の開口１０ａに設けられているレンズシャッタが開き、カメラレンズ１１が開口１０ａから外部に露出する。これとともに、液晶表示パネル２におけるフレーム３の開口３ａ，３ｂ，３ｃ，３ｄ，３ｅの部分がカメラ操作のためのタッチキーとして機能付けられる。このために、液晶表示パネル２のこれら開口３ａ，３ｂ，３ｃ，３ｄ，３ｅの部分には、夫々設定される機能を表わすアイコンやマークなどが表示される。一例として、ここでは、開口３ａの部分はズーミングでの「望遠」キー５として機能付けられ、開口３ｂの部分はズーミングでの「広角」キー６として、開口３ｃの部分は「静止画」キー７として、開口３ｄの部分は「動画」キー８として、開口３ｅの部分は「ホームページ」キー９として夫々機能付けられる。
【００１５】
上記のようにしてカメラ機能を選択した場合には、表示画面４にビデオカメラが撮像する被写体画像が動画として表示される。かかる状態で「望遠」キー５を操作すると、ズーミングが行なわれて、表示画面４では、被写体像が拡大表示され、「広角」キー６を操作すると、広角撮像の画像が表示される。
【００１６】
また、「静止画」キー７と「動画」キー８とは画像の記録に用いられるものであって、「静止画」キー７がタッチ操作された後では、記録ボタン１３を操作すると、撮像される被写体画像が静止画像として筐体内蔵のメモリに記録される。「動画」キー８がタッチ操作された後では、記録ボタン１３を操作すると、撮像される被写体画像が動画像としてメモリに記録され始め、再度この記録ボタン１３を操作すると、この記録が停止する。このように、記録ボタン１３は、「静止画」キー７が操作されているときと「動画」キー８が操作されているときとでその機能が異なる。但し、「静止画」キー７が操作された後、記録ボタン１３を押し続けると、一定時間間隔で静止画記録が行なわれる。
【００１７】
また、「ホームページ」キー９は、このようにして得られる静止画情報や動画情報をサーバに割り当てられたホームページに無線伝送して格納することを指示するタッチキーである。内蔵のメモリには、記憶容量に限度があり、この限度を超える画像情報をこのメモリに記録する場合には、前の画像情報が書き替えられてしまう。このようなことを防止するために、この「ホームページ」キー９が設けられており、上記のように記録ボタン１３を操作して静止画や動画を記録する場合、予めこの「ホームページ」キー９を操作することにより、これら静止画や動画は上記のホームページに格納されることになる。
【００１８】
このホームページに格納されている静止画や動画を読み出して表示画面４に表示させるためには、モード切替レバー１２を矢印Ａ側に移動させてＰＤＡ機能とする。この場合には、上記のキー５〜９は、例えば、サーバからの画像情報の読出キーや不要な画像情報の削除キー，サーバへの画像情報の書込キーなど、かかるＰＤＡ機能を実行するために必要なタッチキーとなる。勿論、この場合には、筐体内蔵のメモリに記録されている静止画や動画を読み出すタッチキーも設定される。
【００１９】
このように、この実施形態では、液晶表示パネル２に形成されるタッチキー５〜９をフレーム３の開口３ａ〜３ｅに夫々対向させており、これにより、装置の小型化に伴ってかかるタッチキー５〜９が益々小さくなり、かつこれら間の間隔が狭くなっても、誤ってとなりのタッチキーに触れてしまうようなことを防止できるようになる。
【００２０】
この実施形態では、また、サーバや内蔵のメモリから画像情報を読み出して表示画面４に表示させる場合、この表示画像をスクロール可能とするために、図１（ｄ）に示すように、筐体の左側面をなすミドルケース１６上に、表示画像をＹ方向（上下方向）にスクロールさせるためのＹ方向スクロールレバー１４Ｙが設けられ、また、図１（ｆ）に示すように、筐体の底面をなすミドルケース１６上に、表示画像をＸ方向（左右方向）にスクロールさせるためのＸ方向スクロールレバー１４Ｘが設けられている。
【００２１】
ここで、Ｙ方向スクロールレバー１４ＹをＹ１方向に移動させると、表示画面４上では、表示画像が上方向にスクロールし、しかも、このＹ方向スクロールレバー１４Ｙの移動速度に応じた速度でスクロールする。また、Ｙ方向スクロールレバー１４ＹをＹ２方向に移動させると、表示画面４上では、表示画像が下方向にスクロールし、しかも、このＹ方向スクロールレバー１４Ｙの移動速度に応じた速度でスクロールする。Ｙ方向スクロールレバー１４Ｙが停止しているときには、かかるスクロールは行なわれない。
【００２２】
また、Ｘ方向スクロールレバー１４Ｘについても同様であり、Ｘ方向スクロールレバー１４ＸをＸ１方向に移動させると、表示画面４上では、表示画像が左方向にスクロールし、しかも、このＸ方向スクロールレバー１４Ｘの移動速度に応じた速度でスクロールする。また、Ｘ方向スクロールレバー１４ＸをＸ２方向に移動させると、表示画面４上では、表示画像が右方向にスクロールし、しかも、このＸ方向スクロールレバー１４Ｘの移動速度に応じた速度でスクロールする。Ｘ方向スクロールレバー１４Ｘが停止しているときには、かかるスクロールは行なわれない。
【００２３】
なお、このＹ方向スクロールレバー１４Ｙの移動範囲に限界があるが、例えば、Ｙ方向スクロールレバー１４Ｙが矢印Ｙ１方向の限界にあるとき、さらに、表示画像を上方向にスクロールさせる必要がある場合がある。これを可能とするために、例えば、操作部３Ａでの１つのタッチキーをＹ方向スクロールレバー１４ＹとＸ方向スクロールレバー１４Ｘの機能を停止させるキーとし、このタッチキーがタッチ操作されている間は、これらＹ方向スクロールレバー１４Ｙ，Ｘ方向スクロールレバー１４Ｘを移動させても、スクロールが行なわれないようにすればよい。このように構成すると、上記のように、Ｙ方向スクロールレバー１４Ｙの移動範囲に限界にきたとき、このタッチキーをタッチした状態でＹ方向スクロールレバー１４Ｙを戻し、しかる後、タッチ状態を解除してＹ方向スクロールレバー１４Ｙを同じ方向に移動させることにより、同じ方向へのスクロールを続けることができる。このことは、Ｘ方向スクロールレバー１４Ｘについても同様である。
【００２４】
ところで、このようなカメラ機能を備えた携帯型の電子計算機は、近年益々小型化が進められている。このような小型化が進むにしても、表示画面を可能な限り大きなものとして表示画像を見やすくする必要があり、このために、操作キーの配置に制限が加わらざるを得ない。従来では、操作キーは表示画面の近傍に配置したり、表示画面内にタッチキーとして設けるのが一般的であったが、表示画面の近傍に配置するにも個数に限界があるし、また、表示画面内のタッチキーは、表示画面が小さくなると、表示される画像の邪魔になってしまう。
【００２５】
この実施形態では、上記のように、従来ほとんどなにも設けられることがなかった筐体の側面に画像スクロールのための手段を配置したものであり、スペースを有効に利用して、小型化されても、表示機能が損なわれないようにしている。しかも、かかるスクロール手段としてレバーを用いているので、スクロール量ばかりでなく、スクロール速度も可変とすることができ、ユーザの手加減でもってスクロールを速くしたり、遅くしたりすることができる。
【００２６】
なお、かかるＸ方向スクロールレバー１４ＸやＹ方向スクロールレバー１４Ｙは、筐体を手で持って使用するとき、この手の指先で操作し易いように、例えば、筐体の左下隅部の方に寄せて（即ち、図１（ｆ）に示すように、Ｘ方向スクロールレバー１４Ｘを底面の左側の方に寄せて、また、図１（ｄ）に示すように、Ｙ方向スクロールレバー１４Ｙを左側面の下側の方に寄せて）配置される。このため、携帯していてもそのスクロールの操作性が良好なものとなる。
【００２７】
さらに、図１（ｄ）において、筐体の左側面側に、表示画面４で表示されるメニューなどを選択／クリックするためのペン（図示せず）を抜き差し可能に収納できるようにしたペン収納部１５が設けられている。
【００２８】
図２は図１に示した実施形態の分解斜視図であって、１５ａは開口、１７はＣＣＤカメラ、１８はバッテリ、１９はレンズシャッタ、２０はメイン基板、２１はペンであり、図１に対応する部分には同一符号をつけて重複する説明を省略する。
【００２９】
同図において、トップケース１とミドルケース１６とボトムケース１０とを組み合わせて筐体が形成されるが、この筐体内には、トップケース１に液晶表示パネル２が配置され、この液晶表示パネル２よりもボトムケース１０側にメイン基板２０が配置される。このメイン基板２０には、ＣＣＤカメラ１１を備えたＣＣＤカメラ１７が取り付けられており、また、図示しないが、このＣＣＤカメラ１７や液晶表示パネル２の信号処理回路や駆動回路，上記のメモリやその駆動回路などが搭載されており、カメラレンズ１１がボトムケース１０の開口１０ａと対向するようにしている。また、図示しないが、サーバとの画像通信のための回路基板も内蔵されている。
【００３０】
さらに、メイン基板２０とボトムケース１０の内部底面との間のスペースには、交換可能に、あるいは充電可能にバッテリ１８が配置されている。また、カメラレンズ１１とボトムケース１０の開口１０ａとの間には、この開口１０ａを開閉するレンズシャッタ１９が設けられている。また、ミドルケース１６には、メニュー選択／クリック用のペン２１の収納部１５（図１）の入り口となる開口１５ａが設けられている。
【００３１】
図３は図１におけるＸ方向スクロールレバー１４Ｘ，Ｙ方向スクロールレバー１４Ｙの操作によるスクロール動作を示す図であって、２２はこの実施形態の筐体、Ｐ0は全体画像、Ｐ1は全体画像Ｐ0の表示画面４での表示範囲であり、図１に対応する部分には同一符号をつけている。
【００３２】
同図において、例えば、サーバから画像情報を読み取って表示画面４に表示する場合、この画像情報が非常に大きな面積の画像を表わす場合がある。このような場合、かかる画像全体を画像Ｐ0とすると、表示画面４で表示されるのは、その一部である表示範囲Ｐ1でしかないことになる。この実施形態は、かかる場合、上記のＸ方向スクロールレバー１４Ｘ，Ｙ方向スクロールレバー１４Ｙ（図１）の操作により、かかる画像Ｐ0の全体を表示画面４で観ることができるものである。
【００３３】
即ち、Ｘ方向スクロールレバー１４Ｘを矢印Ｘ１またはＸ２の方向に移動させると、全体画像Ｐ0の表示画面４による表示範囲Ｐ1も矢印Ｘ１またはＸ２の方向に移動し、また、Ｙ方向スクロールレバー１４Ｙを矢印Ｙ１またはＹ２の方向に移動させると、全体画像Ｐ0の表示画面４による表示範囲Ｐ1も矢印Ｙ１またはＹ２の方向に移動する。これにより、表示画面４には、全体画像Ｐ0の一部しか表示されないが、Ｘ方向スクロールレバー１４Ｘ，Ｙ方向スクロールレバー１４Ｙを操作することにより、全体画像Ｐ0の全体を観ることができるようになる。
【００３４】
図４はこの実施形態の一使用例を示す図であって、Ｐ2は撮像対象であり、前出図面に対応する部分には同一符号をつけている。
【００３５】
例えば、大型の撮像対象を撮像してサーバに格納するような場合、この撮像対象全体を撮像範囲とするように、この撮像対象から離れて撮像するのが普通であるが、このような撮像対象が設計図や地図などの細かい情報内容を含むようなものであるときには、その結果得られる表示画像は細かくなってその内容を充分把握できないようなものになってしまう。この実施形態は、このような問題も解消できるものである。
【００３６】
図４において、いま、撮像対象Ｐ2を卓上に広げられた大面積の地図として、これをこの実施形態で撮像する場合、カメラレンズ１１を撮像対象Ｐ2に向け、筐体２２を、撮像対象Ｐ2に平行にしてかつ撮像対象Ｐ2に近接させ、この撮像対象Ｐ2上を矢印Ｘ１，Ｘ２方向や矢印Ｙ１，Ｙ２方向に移動させながら接写する。この場合には、図１において、モード切替レバー１２を矢印Ｂ方向に移動させてカメラ機能にし、かつ「静止画」キー７をタッチ操作して静止画の記録モードに設定した後、記録ボタン１３を押した状態を続けながら上記の接写を行なう。
【００３７】
このように接写を行なうことにより、記録ボタン１３を押し続ける間、上記のように、一定時間毎にディジタルカメラの撮像範囲の静止画を記録する。従って、撮像対象Ｐ2全体を接写することにより、この撮像対象Ｐ2の全体画像が部分画像の合成として得られることになる。これら部分画像は、信号処理により、これを合成して１つの大きな画像を形成することができる。従って、これを、例えば、サーバから読み出してモニタする場合には、図３で説明したように、スクロールによって全体を観ることができる。
【００３８】
なお、この実施形態は、図５に示すように、トップケース１とボトムケース１０との間に液晶表示パネル２や通信用基板２３，メイン基板２０，ＣＣＤカメラ１７，カメラレンズ１１，バッテリ１８を配置した構成とし、カメラ撮像してその画像を液晶表示パネル２で表示したり、サーバに送ったり、サーバから画像を読み出して液晶表示パネル２で表示したりする機能を有するものであったが、さらに、例えば、ハードディスク装置２４や光ディスク装置２５，フラッシュメモリ２６，ＩＣカード用アンテナ２７，カードスロット２８などを追加し、機能の拡張を行なうようにすることもできる。但し、このような装置を追加して場合には、トップケース１とボトムケース１０との間の厚みが増えるから、これに応じた厚み幅のミドルケース１６（図２）を用いることはいうまでもない。
【００３９】
【発明の効果】
以上説明したように、本発明によれば、誤操作の少ないタッチキーを備えた携帯型電子計算機を提供できる。
【図面の簡単な説明】
【図１】本発明による無線通信機能付電子計算機の一実施形態を示す平面図である。
【図２】図１に示した実施形態の分解斜視図である。
【図３】図１に示した実施形態の一使用例を示す図である。
【図４】図１に示した実施形態の他の使用例を示す図である。
【図５】図１に示した実施形態の機能拡張方法を示す図である。
【符号の説明】
１  トップケース
２  液晶表示パネル
３  フレーム
３Ａ  操作部
３Ｂ  開口部
３ａ〜３ｅ  開口
４  表示画面
５〜９  タッチキー
１０  ボトムケース
１０ａ  開口
１１  カメラレンズ
１２  モード切替レバー
１３  記録ボタン
１４Ｘ  Ｘ方向スクロールレバー
１４Ｙ  Ｙ方向スクロールレバー
１５  ペン収納部
１６  ミドルケース
１７  ＣＣＤカメラ
１８  バッテリ
１９  レンズシャッタ
２０  メイン回路基板
２１  ペン
２２  筐体
２３  通信用基板
【図１】
0004272290.tif 000002
【図２】
0004272290.tif 000003
【図３】
0004272290.tif 000004
【図４】
0004272290.tif 000005
【図５】
0004272290.tif 000006